(57)【特許請求の範囲】
【請求項１】
容器本体と、該容器本体にヒンジを介して開閉自在に蝶着される中蓋と、該中蓋を包囲しつつ該容器本体の外周に螺合される外蓋とを備え、該外蓋のねじ込み力を該中蓋に付加して当該中蓋を密閉方向に押圧するようにした気密容器において、
上記中蓋の周縁部から該中蓋の密閉方向に沿って延長片を設け、上記容器本体の外周部分内方には、上記延長片が移動自在に挿入される通路を形成し、該延長片の中蓋側基端部に、当該延長片の一部を薄肉化した屈曲自在な折り曲げ部によって上記ヒンジを構成するとともに、上記延長片の先端部に形成した鈎部を上記容器本体の上記通路内部に形成した係止部に、上記外蓋のねじ込み力による上記中蓋の密閉方向に相対移動自在に係合させたことを特徴とする気密容器。
【発明の詳細な説明】
【０００１】
【発明の属する技術分野】
本発明は、容器本体の収納部がヒンジを介して開閉される中蓋で閉止され、更に、該中蓋を包含するように外蓋が設けられて、該外蓋が容器本体の外周に螺合される気密容器に関する。
【０００２】
【従来の技術】
この種の中蓋付き気密容器としては、例えば実用新案登録第２５２３７８５号に開示される化粧用コンパクトが従来存在する。この化粧用コンパクトは化粧料の収納部を設けた容器本体と、該収納部の上側を覆う中蓋と、該中蓋を更に覆う外蓋とを備え、該外蓋を容器本体に螺合してねじ込むことにより、外蓋で中蓋を押圧して該中蓋による上記収納部の密閉性を高めるようになっている。また、上記中蓋はヒンジを介して容器本体に開閉自在に蝶着されている。
【０００３】
【発明が解決しようとする課題】
しかしながら、上記化粧料コンパクトでは中蓋を容器本体に蝶着するヒンジは、該容器本体の周縁部上端を切欠いて、この切欠部の両側間に跨って蝶番ピンを設ける一方、中蓋の周縁部から外方に保持部を突設し、該保持部を蝶番ピンに嵌合支持することにより構成されるようになっており、中蓋は蝶番ピンを中心として回動される。このとき、保持部は蝶番ピンによって位置決めされており、外蓋のねじ込み力が作用して中蓋が容器本体の収納部に圧接される際にも、該中蓋は該蝶番ピンを中心として、中蓋のヒンジの配置側とは反対側のみが押し下げられる。このため、中蓋が収納部を閉止する周縁部にスカート条弁を設けたといえども、その圧接状態に偏りが発生して密閉性が低下されてしまうという課題があった。
【０００４】
そこで、本発明はかかる従来の課題に鑑みてなされたもので、外蓋のねじ込み力が作用した際に、中蓋がその全周において均等に沈み込むようにして、該中蓋による密閉性を高めるようにした気密容器を提供することを目的とする。
【０００５】
【課題を解決するための手段】
かかる目的を達成するために本発明は、
容器本体と、該容器本体にヒンジを介して開閉自在に蝶着される中蓋と、該中蓋を包囲しつつ該容器本体の外周に螺合される外蓋とを備え、該外蓋のねじ込み力を該中蓋に付加して当該中蓋を密閉方向に押圧するようにした気密容器において、上記中蓋の周縁部から該中蓋の密閉方向に沿って延長片を設け、上記容器本体の外周部分内方には、上記延長片が移動自在に挿入される通路を形成し、該延長片の中蓋側基端部に、当該延長片の一部を薄肉化した屈曲自在な折り曲げ部によって上記ヒンジを構成するとともに、上記延長片の先端部に形成した鈎部を上記容器本体の上記通路内部に形成した係止部に、上記外蓋のねじ込み力による上記中蓋の密閉方向に相対移動自在に係合させたことを特徴とする。
【０００６】
この構成によれば、容器本体を密閉するには、まずヒンジを中心として中蓋を閉動して閉止した後、該中蓋を覆うようにして外蓋を被せ、そして、該外蓋を容器本体に螺合させて、これをねじ込むようになっており、該外蓋のねじ込み力が中蓋に付加される。このとき、中蓋側基端部に上記ヒンジを設けた延長片の先端部に形成した鈎部が、容器本体の通路内部に形成した係止部に、外蓋のねじ込み力による中蓋の密閉方向に相対移動自在に係合されるため、上記ねじ込み力が付加された際に延長片は通路内で移動が可能で当該通路内に押し込まれて該中蓋をヒンジとともに全体的に押し下げることができ、ひいては、中蓋による密閉性が向上される。
【０００８】
また、この構成によれば、ヒンジが延長片の中蓋側基端部に形成した折り曲げ部によって構成され、該折り曲げ部は延長片の一部を薄肉化して形成されるため、該ヒンジをコンパクトに中蓋に備えることができる。また、該延長片は容器本体の外周部分内方の通路に挿入されるため、該延長片が容器本体の外周から突出することがない。従って、上記延長片や上記ヒンジが外蓋の螺合部分に何ら影響することなく、該外蓋を容器本体に螺合することができる。このため、外蓋の外径を小径化することが可能となり、気密容器を全体的にコンパクトに形成することができる。
【０００９】
【発明の実施の形態】
以下、本発明の実施形態を添付図面を参照して詳細に説明する。図１から図４は本発明の気密容器の一実施形態を示し、図１は要部断面して示す分解斜視図、図２は密閉状態の縦断面図、図３は開放状態の縦断面図、図４はヒンジ部分の動作説明図である。
【００１０】
本発明の気密容器１０は、外蓋１４を閉止した際に中蓋１３による容器本体１１の密閉性を高めるようにしたもので、容器本体１１と、該容器本体１１にヒンジ１９を介して開閉自在に蝶着される中蓋１３と、該中蓋１３を包囲して容器本体１１の外周に螺合される外蓋１４とを備え、外蓋１４のねじ込み力を中蓋１３に付加して該中蓋１３を密閉方向に押圧するようになっており、その基本とする構造は、上記中蓋１３の周縁部から中蓋１３の密閉方向である容器本体１１の母線方向に沿って延長片１８を設け、上記容器本体１１の外周部分内方には、上記延長片１８が移動自在に挿入される通路１６を形成し、該延長片１８の中蓋側基端部に、当該延長片１８の一部を薄肉化した屈曲自在な折り曲げ部１９ｂによって上記ヒンジ１９を構成するとともに、該延長片１８の先端部に形成した鈎部１８ａを上記容器本体１１の上記通路１６内部に形成した係止部１６ａに、外蓋１４のねじ込み力の作用による中蓋１３の密閉方向に相対移動自在に係合することにある。
【００１１】
即ち、本実施形態の気密容器１０は、図１，図２に示すように携帯用の化粧料容器として構成した場合を例にとって示し、中央部に凹部１１ａが形成される容器本体１１と、該凹部１１ａ内に収納される中皿１２と、容器本体１１の凹部１１ａを開閉する中蓋１３と、該中蓋１３を包囲しつつ容器本体１１の外周に螺合される外蓋１４とを備えた、いわゆるジャータイプの容器として構成される。
【００１２】
上記容器本体１１は円形状に形成され、その周縁部は一旦立ち上がって上記凹部１１ａを形成する環状壁１１ｂが設けられるとともに、その環状壁１１ｂの上端部から折り返して外壁１１ｃが垂下され、これら環状壁１１ｂと外壁１１ｃとによって二重壁構造となっている。このとき、外壁１１ｃの上端は環状壁１１ｂの上端より一段高く形成されている。また、外壁１１ｃの上端部外周には上記外蓋１４を螺合するための雄ねじ部１５が形成されるとともに、該雄ねじ部１５の形成部分下方は外方に膨出される拡径部１１ｄとなっている。更に、上記環状壁１１ｂと上記外壁１１ｃとの間の一部には、所定幅をもって下方に貫通される通路１６が形成される。該通路１６の内部には、環状壁１１ｂの外側に係止部１６ａが形成されるとともに、外壁１１ｃの上端部には該通路１６の形成幅をもって切欠部１６ｂが形成されている。
【００１３】
上記中皿１２は、容器本体１１の凹部１１ａの形状に沿った円形状に形成され、底面１２ａと、その周縁部に立ち上がる周壁１２ｂとによって皿状に形成される。そして、該中皿１２内には図２に示したように化粧料Ｐが充填され、容器本体１１の環状壁１１ｂで囲まれた凹部１１ａ内に着脱自在に嵌合されるようになっている。このとき、中皿１２の周壁１２ｂの高さは、環状壁１１ｂの深さより低く形成され、環状壁１１ｂの上端より周壁１２ｂの上端が若干下がった状態となっている。
【００１４】
上記中蓋１３は、容器本体１１の上記外壁１１ｃの上端部内側に嵌合される円形状に形成され、その周縁部上面には断面台形状に突出される環状座１３ａが形成されるとともに、底面には容器本体１１の上記環状壁１１ｂより若干大径の円形凹部１３ｂが形成され、この円形凹部１３ｂ内にパッキン１７が嵌め込まれて固定される。また、中蓋１３の周縁部には、これが閉止状態にあるときに上記外壁１１ｃの母線方向に沿って延設される、つまり、中蓋１３に対して略直角方向に垂下される延長片１８が一体に突設される。これら中蓋１３および延長片１８は、ＰＰ（ポリプロピレン）等の屈曲に対して耐久性のある材質で形成されるとともに、該延長片１８は上記容器本体１１の通路１６内に挿入される幅をもって形成され、その先端部には上記係止部１６ａに係合される鉤部１８ａが形成される。また、これら係止部１６ａおよび鉤部１８ａの位置関係は、上記パッキン１７が環状壁１１ｂに当接される程度に中蓋１３が軽く閉止された状態で、相互に係合されるようになっており、この係合状態から延長片１８は更に通路１６内への押込み方向の移動が可能となっている。
【００１５】
上記延長片１８の基端部（中蓋１３側端部）には、図４（ａ）に示すように内側に切り込み１９ａを形成して薄肉化し、この部分を屈曲自在な折り曲げ部１９ｂとしてヒンジ１９が構成される。また、該折り曲げ部１９ｂは延長片１８の外方に膨出され、この膨出された折り曲げ部１９ｂは、上記容器本体１１の外壁１１ｃに形成された切欠部１６ｂ内に配置されるようになっている。
【００１６】
上記外蓋１４は、円形状の天板１４ａの周縁部から面取り状の傾斜部分１４ｂを介して周壁１４ｃが垂下する断面逆Ｕ字状に形成され、該周壁１４ｃの内周には上記容器本体１１の外壁１１ｃに形成された雄ねじ部１５に螺合する雌ねじ部２０が形成される。また、上記傾斜部分１４ｂの内側には凸部１４ｄが形成され、この凸部１４ｄは、外蓋１４を容器本体１１に螺合して、ある程度ねじ込み方向に移動した際に、上記中蓋１３の環状座１３ａ上面に当接されるようになっている。更に、外蓋１４を完全にねじ込んだ状態では、周壁１４ｃの下端は容器本体１１の拡径部１１ｄの上端近傍で止まるようになっているとともに、これら外蓋１４と拡径部１１ｄとの外径を略等しくすることにより、容器全体の外観が向上されるようになっている。また、上記凸部１４ｄは連続した環状に形成してもよく、また、適宜間隔を設けて部分的に形成してもよい。
【００１７】
従って、かかる構成になる本実施形態の気密容器１０は、図２に示したように容器本体１１の凹部１１ａ内に、化粧料Ｐを充填した中皿１２を嵌合するとともに、該容器本体１１に中蓋１３を組み付け、更にその上方から中蓋１３を包含するように外蓋１４を螺着するようになっている。中蓋１３の組み付けは、これの延長片１８を容器本体１１の通路１６に差し込み、これの鉤部１８ａを通路１６の係止部１６ａに係合することにより行われる。また、図２に示したように上記外蓋１４を螺着した状態で、該外蓋１４と中蓋１３との間に所定のスペースが設けられ、このスペースにパフ２１が収納される。
【００１８】
上記気密容器１０は、化粧料Ｐを使用する際には図３に示すように、まず外蓋１４を取り外した後、中蓋１３をヒンジ１９廻りに開動することにより、容器本体１１の凹部１１ａが開放されて中皿１２が露出し、該中皿１２内の化粧料Ｐを上記パフ２１ですくい取って使うことになる。そして、化粧が終了して上記気密容器１０を閉じる場合は、中蓋１３を閉止した後に、その上から外蓋１４を被せて容器本体１１に螺合してねじ込むことにより、容器本体１１の凹部１１ａが中蓋１３および外蓋１４によって２重に閉止されるようになっている。
【００１９】
このように、中蓋１３および外蓋１４によって容器本体１１が閉止された状態では、上記凹部１１ａは中蓋１３のパッキン１７によって密閉されるようになっている。即ち、外蓋１４の雌ねじ部２０を容器本体１１の雄ねじ部１５に螺合し、これがある程度ねじ込まれた時点で外蓋１４の凸部１４ｄが中蓋１３の環状座１３ａの上面に当接する。この状態から更に外蓋１４をねじ込んで行くと、このねじ込み力が環状座１３ａから中蓋１３の周縁部に入力され、これによってパッキン１７が容器本体１１の環状壁１１ｂ上端に圧接される。
【００２０】
ところで、本実施形態では上記外蓋１４のねじ込み力を中蓋１３に作用させる際、該中蓋１３の延長片１８は通路１６内に押し込まれて、該中蓋１３を全体的に押し下げることができる。つまり、図４（ａ）に示すように中蓋１３が単に閉止された状態では、パッキン１７が環状壁１１ｂの上端に軽く当接されている。そして、外蓋１４のねじ込み力が中蓋１３に入力されると、図４（ｂ）に示すように延長片１８は通路１６内で下方に移動が可能であるため、該中蓋１３は全体的に押し下げられることになる。このため、パッキン１７は上記環状壁１１ｂの上端との間で、その全周に亘って均等に圧接力が付加されて密閉性が向上し、凹部１１ａの気密性が著しく高められる。
【００２１】
従って、このように凹部１１ａがパッキン１７によって密封されることにより、該凹部１１ａ内に収納された中皿１２の化粧料Ｐが外部にこぼれたり、また、該化粧料Ｐが揮発性の場合は、その劣化を防止することができる。更に、上記パッキン１７の片当たりも無くなることから、該パッキン１７自体の耐久性をも向上することができる。
【００２２】
また、本実施形態では上記ヒンジ１９を、上記延長片１８の一部を薄肉化した屈曲自在な折り曲げ部１９ｂによって構成したので、ヒンジ１９をコンパクトに中蓋１３に備えることができる。また、該延長片１８を容器本体１１の環状壁１１ｂと外壁１１ｃとの間、つまり、容器本体１１の外周部分内方に形成した通路１６に挿入するため、該延長片１８が容器本体１１の外周から突出されることはない。つまり、上記ヒンジ１９を外蓋１４の内側に配置した場合にも、延長片１８やヒンジ１９が外蓋１４の螺合部分に何ら影響することなく、該外蓋１４を容器本体１１に螺合することができる。このため、外蓋１４の外径を小径化することが可能となり、気密容器１０を全体的にコンパクトに形成することができる。
【００２３】
図５は他の実施形態を示し、上記実施形態と同一構成部分に同一符号を付して重複する説明を省略して述べる。即ち、図５は密閉状態の縦断面図で、この実施形態の気密容器１０は、中皿１２の周壁１２ｂの高さを、容器本体１１の環状壁１１ｂの深さより高く形成した場合で、中蓋１３のパッキン１７が該周壁１２ｂの上端に当接することにより密閉するようになっている。
【００２４】
従って、この実施形態にあっても上記実施形態と同様に、外蓋１４のねじ込み力が中蓋１３に入力された際に、ヒンジ１９を設けた延長片１８が通路１６内に押し込まれて、該中蓋１３を全体的に押し下げることができる。このため、上記パッキン１７が中皿１２の周壁１２ｂの上端全周に均等に圧接し、該中皿１２内の気密性を高めることができる。
【００２５】
図６は他の実施形態を示し、上記実施形態と同一構成部分に同一符号を付して重複する説明を省略して述べる。即ち、図６は密閉状態の縦断面図で、この気密容器１０は、中皿１２を用いることなく、化粧料Ｐを容器本体１１の凹部１１ａ内に直接充填するようになっている。
【００２６】
従って、この実施形態ではパッキン１７を凹部１１ａを囲繞する環状壁１１ｂの上端に当接させて密閉するようにしたもので、上記各実施形態と同様に延長片１８の押し込みによって中蓋１３を全体的に押し下げ、環状壁１１ｂの上端全周をパッキン１７によって均等に密閉することができる。
【００２７】
ところで、前記各実施形態では気密容器１０を化粧料Ｐの携帯用容器として用いた場合を開示したが、勿論、該化粧料Ｐに限ることなく該気密容器１０の収納物は特に限定されるものではない。また、パッキン１７は必ずしも必要ではなく、環状壁１１ｂ等の上端に中蓋１３の下面を直接圧接させるようにしてもよい。
【００２８】
【発明の効果】
以上説明したように本発明の気密容器にあっては、中蓋の周縁部から中蓋の密閉方向に沿って延長片を設け、容器本体の外周部分内方には、延長片が移動自在に挿入される通路を形成し、延長片の中蓋側基端部に、当該延長片の一部を薄肉化した屈曲自在な折り曲げ部によってヒンジを構成するとともに、延長片の先端部に形成した鈎部を容器本体の通路内部に形成した係止部に、外蓋のねじ込み力による中蓋の密閉方向に相対移動自在に係合させたので、このねじ込み力が付加された際に延長片は通路内で移動が可能で当該通路内に押し込まれて中蓋をヒンジとともに全体的に押し下げることができ、ひいては、中蓋による密閉性を向上することができる。
【００２９】
また、ヒンジを、延長片の中蓋側基端部に、その一部を薄肉化した屈曲自在な折り曲げ部によって構成するとともに、容器本体の外周部分内方には、延長片が移動自在に挿入される通路を形成したので、ヒンジをコンパクトに中蓋に備えることができるとともに、延長片やヒンジが外蓋の螺合部分に何ら影響することなく、外蓋を容器本体に螺合することができ、これにより外蓋の外径を小径化することが可能となって気密容器を全体的にコンパクトに形成することができる。
【図面の簡単な説明】
【図１】本発明の一実施形態の気密容器を要部断面して示す分解斜視図である。
【図２】本発明の一実施形態を示す気密容器の密閉状態の縦断面図である。
【図３】本発明の一実施形態を示す気密容器の開放状態の縦断面図である。
【図４】本発明の一実施形態を示すヒンジ部分の動作説明図である。
【図５】本発明の他の実施形態を示す気密容器の密閉状態の縦断面図である。
【図６】本発明の更に他の実施形態を示す気密容器の密閉状態の縦断面図である。
【符号の説明】
１０  気密容器
１１  容器本体
１３  中蓋
１４  外蓋
１５  雄ねじ部
１６  通路
１７  パッキン
１８  延長片
１９  ヒンジ
１９ｂ  折り曲げ部
２０  雌ねじ部
【図１】
0004688998.tif 000002
【図２】
0004688998.tif 000003
【図３】
0004688998.tif 000004
【図４】
0004688998.tif 000005
【図５】
0004688998.tif 000006
【図６】
0004688998.tif 000007